(57)【要約】【課題】  パワー接続プラグ２００、導電ケーブル２０２、充電コネクタ３００、および照明装置３０６を備える照明機能付きの携帯電話用カーチャージャーが提供される。【解決手段】  パワー接続プラグ２００は、充電電源を供給するために車内のパワーソケット１１０に接続される。導電ケーブル２０２は、充電源を充電コネクタ３００に伝える。充電コネクタ３００は、携帯電話２０６の充電に適した形式に、充電源を変換する。照明装置３０６は、充電電力の利用可能な充電コネクタ３００に設置されて、周辺領域を照明する。パワー接続プラグ２００がアイドル状態であり充電コネクタ３００が携帯電話２０６に係合されている時には、照明装置３０６は携帯電話２０６の電源を使って周辺領域を照明することも可能である。照明装置３０６のオン状態またはオフ状態はスイッチ３０４によって制御可能にされる。【選択図】      図４
2005057975.tif 000002
【特許請求の範囲】
【請求項１】
照明機能を備えた携帯電話用のカーチャージャーであって、
充電電源を供給するパワーソケットに接続するためのパワー接続プラグと、
導電ケーブルと、
前記導電ケーブルを介して充電電力を受け取り、前記携帯電話を充電するのに適した形式に前記電力を変換する充電コネクタと、
前記充電電源からの電力を用いて周辺領域を照明するために前記充電コネクタに設置された照明装置とを有することを特徴とする照明機能付きの携帯電話用カーチャージャー。
【請求項２】
請求項１に記載のカーチャージャーにおいて、
前記パワー接続プラグがアイドル状態であり前記充電コネクタが前記携帯電話に係合されている時に、前記照明装置は、前記携帯電話内のバッテリーの電力を用いて、周辺領域を照明していることを特徴とする照明機能付きの携帯電話用カーチャージャー。
【請求項３】
請求項１に記載のカーチャージャーにおいて、
前記充電器は、前記照明装置のオン状態またはオフ状態を制御するために、前記充電コネクタに設置されたスイッチをさらに備えることを特徴とする照明機能付きの携帯電話用カーチャージャー。
【請求項４】
請求項１に記載のカーチャージャーにおいて、
車内の前記パワーソケットは１２Ｖの電源を供給していることを特徴とする照明機能付きの携帯電話用カーチャージャー。
【請求項５】
請求項１に記載のカーチャージャーにおいて、
前記パワー接続プラグは、電圧変換器を介して適正な充電圧の電源を発生させていることを特徴とする照明機能付きの携帯電話用カーチャージャー。
【請求項６】
請求項１に記載のカーチャージャーにおいて、
前記導電ケーブルによって、前記充電コネクタが移動して車内の照明の届かない辺鄙な場所領域のほとんどを照らすことが可能にされていることを特徴とする照明機能付きの携帯電話用カーチャージャー。
【請求項７】
請求項６に記載のカーチャージャーにおいて、
前記車内の照明の届かない辺鄙な場所領域は、少なくとも1つの固定された頭上灯によって照明の不十分な車内の領域であることを特徴とする照明機能付きの携帯電話用カーチャージャー。
【請求項８】
照明機能を備えた携帯電話用の照明機器であって、
携帯電話に差込接続されバッテリー電源に接続するコネクタと、
バッテリー電力を用いて周辺領域を照らすために前記コネクタに設置された照明装置とを有することを特徴とする照明機能付きの携帯電話用照明機器。
【請求項９】
請求項８に記載の携帯電話用照明機器において、
前記照明機器は、前記照明装置のオン状態またはオフ状態を制御するスイッチをさらに備えることを特徴とする照明機能付きの携帯電話用照明機器。
【発明の詳細な説明】
【技術分野】
【０００１】
本発明は携帯電話用カーチャージャーに関する。さらに詳細には、本発明は照明機能付きの携帯電話用カーチャージャーに関する。
【背景技術】
【０００２】
多くの人にとって、仕事の行き帰りのために、または、休暇に出かけるために自動車はなくてはならない移動手段である。移動を頻繁に行う人にとって、多くの時間は車の運転に費やされている。移動中の人にとっての他の流行は、無線通信システムを用いての頻繁な通信活動である。近年では、無線通信装置の小型化に伴って、携帯電話はポケットまたはハンドバッグに入れてほぼあらゆるところに持ち運ばれている。
【０００３】
一般に、無線通信は多くの電力を消費する。電力は、通常、付属の充電式バッテリーにより携帯電話に供給される。しかしながら、携帯電話は軽量かつコンパクトであることが求められるため、バッテリーの蓄積容量およびサイズは厳しく制限されている。したがって、頻繁に使用するユーザは、携帯電話のバッテリーを頻繁に充電しなければならない。携帯電話のユーザが頻繁に移動を行うことから、携帯電話用カーチャージャーが開発されて携帯電話のバッテリーの再充電が容易にされている。
【発明の開示】
【発明が解決しようとする課題】
【０００４】
図１は、従来の車を横から見た場合の室内レイアウトを示す略図である。図１に示すように、上端部１０２と底面部とによって車の室内空間１００は仕切られている。運転席は底面部に固定され、駆動輪（driving wheel）１０８は運転席の前に組付けられている。ほとんどすべての車は、一部分だけの電源を供給するためにパワーソケット１１０を有している。さらに、通常は、１セットの固定照明灯１０４が上端部１０２の下面に設置されている。照明灯１０４は所定の位置に固定されそのうちの限られた数だけが設置されるので、照明の届かない数カ所の辺鄙な場所位置（some dead corner positions）での光強度は低く、その場所位置の１つには符号１０６が付いている。
【０００５】
一般に、従来の携帯電話には車のパワーソケット１１０（ほとんどの車は１２Ｖの電源）を使って携帯電話のバッテリーを再充電するためにカーチャージャーが設けられている。図２は、従来の携帯電話用カーチャージャーを横から見た場合を示す略図である。図２に示すように、従来の携帯電話用カーチャージャーは、パワー接続プラグ２００と、導電ケーブル２０２と、充電コネクタ２０４とを備えている。パワー接続プラグ２００はパワーソケット１１０に差し込み可能である。通常、パワー接続プラグ２００は、携帯電話のバッテリー充電に適した作動電圧に、車により供給される電圧を変換するため、電力変換機能を内蔵している。作動電圧は、導電ケーブル２０２を介して充電コネクタ２０４に接続される。充電コネクタ２０４は、特定製品の型番に従って設計された携帯電話２０６に係合するために、一定の形状を有している。充電コネクタ２０４は、携帯電話のバッテリーを再充電するのに必要な電力を供給する。
【０００６】
携帯電話を再充電するためのパワーソケットを大抵の車は備えられているけれども、車内の照明の届かない辺鄙な場所領域では照明レベルは低いことが多い。夜間での運転または薄暗い道路沿いでの運転は、頻繁に運転する人にとって非常によくあることなので、照明の届かない辺鄙な場所領域での物を見るのに必要な照明を頭上灯１０４は殆ど提供できない。さらに、頭上灯１０４が、文章または絵を読むのに十分な照明を提供しないこともある。また、全ての頭上灯１０４を固定位置に設置した状態では、車内に落としてしまった商品、または、車内のどこかに置かれた物を探す際には極めて不便である。
【０００７】
つまり、白昼、特に夜間では車内に照明源が頻繁に必要とされる。固定位置での従来の頭上灯は十分な照明を提供できないので、車内に容易に設置できる補助的な照明源が常に望ましい。
【課題を解決するための手段】
【０００８】
従って、本発明の目的は、カーチャージャーであって、そのチャージャー端部が照明装置を有する照明機能付きの携帯電話用カーチャージャーを提供することである。チャージャー端部と車内のパワーソケットとを連結する可撓性の導電ケーブルを利用することで、車内のほぼすべての領域の直ぐ近くに照明装置を持ってくることができる。
【０００９】
本発明の第２の目的は、カーチャージャーであって、そのチャージャー端部に照明装置を有する照明機能付きの携帯電話用カーチャージャーを提供することである。携帯電話用カーチャージャーの充電部が携帯電話に差込接続されている時に、携帯電話内の電源が利用されて照明装置がパワーアップ可能とされる。
【００１０】
これらのおよびその他の利点を達成するために、かつ、本発明の目的に従ってここで実施され明確に説明されるように、本発明は照明機能付きの携帯電話用カーチャージャーを提供する。携帯電話用カーチャージャーは、パワー接続プラグと、充電コネクタと、照明装置とを備えている。パワー接続プラグは、携帯電話のバッテリーを充電するための電力を受け取るために、車内のパワーソケットに接続される。充電コネクタは、導電ケーブルを介してパワー接続プラグに接続される。さらに、充電コネクタはまた、パワー接続プラグからの電力を、携帯電話を充電するのに適した形式に変換する。照明装置は充電コネクタのどこかに設置されている。照明装置は、電源からの電力のうち幾らかを使って、照明を提供する。
【００１１】
パワー接続プラグがアイドル状態であり充電コネクタが携帯電話に係合されている時に、携帯電話内のバッテリーにより供給される電力を用いて、前述の照明装置もまた照明可能となる。
【００１２】
また、本発明は携帯電話用照明機器も提供する。その照明機器は、コネクタおよび照明装置を備えている。コネクタは携帯電話に差込接続され、携帯電話内のバッテリー電源が盗用され得るようになっている。照明装置は、バッテリー電力を用いて照明を提供するためにコネクタに設置されている。
【００１３】
理解されることは、上述の概括的な説明と以下の詳細な説明とは、例示的なものであり、かつ、特許請求の範囲に記載されたような発明のさらなる説明を提供するように意図されていることである。
【００１４】
添付図面は、本発明のさらなる理解を提供するために包含され、本明細書に組み込まれその一部を構成している。その図面は、本発明の実施の形態を例示し、詳細な説明と共に本発明の原理を説明するために用いられている。
【発明を実施するための最良の形態】
【００１５】
ここで、本発明の好適な実施の形態が、すなわち、添付図面に例示された本発明の例が詳細に説明されるだろう。可能な限り、同一の参照符号を図面と発明の説明との中で使って同一または類似の部分を説明する。
【００１６】
現在、携帯電話は無線通信機器として無くてはならないものとなっている。ほとんどの携帯電話には、ハンズフリー機能付きの携帯電話セットに結合可能なカーチャージャーが設けられている。従来の車内設計は、図１に示すような照明の届かない数カ所の辺鄙な場所１０６を有するように束縛されるので、携帯電話用カーチャージャーは車内の補助的な照明手段に使っても良い。
【００１７】
図３は、本発明の好適な実施の形態による携帯電話用カーチャージャーの側面図である。図３に示すように、携帯電話用カーチャージャーは、車内のパワーソケット１１０に差込接続可能なパワー接続プラグ２００を有している。通常、車のパワーソケット１１０は、たとえば１２Ｖの電圧源を供給する。携帯電話に適した電力源を供給するために、パワー接続プラグ２００は、特定の携帯電話機種用の電圧変換を行うための回路を内蔵している。すなわち、パワー接続プラグ２００は、選択された機種の携帯電話を充電するのに適した電圧を発生させることも可能である。
【００１８】
携帯電話用カーチャージャーの他端部は、導電ケーブル２０２を介してパワー接続プラグ２００に接続される充電コネクタ３００である。パワー接続プラグ２００からの電力は、導電ケーブル２０２を介して充電コネクタ３００に伝えられる。さらに、充電コネクタ３００は、携帯電話における特定の機種とブランドとに従って作られた接続ヘッド３０２に対して、電力の一部を分配するだろう。一般的に、接続ヘッド３０２は、通常、特定数のリード、または、特定のボディ形状を有している。
【００１９】
本発明はまた、充電コネクタ３００に設置された照明装置３０６を提供する。照明装置３０６は、たとえばスイッチ３０４を介してオンまたはオフに切換可能である。
【００２０】
パワー接続プラグ２００が車のパワーソケット１１０に差し込まれると、携帯電話を充電するために供給される電力の一部を盗用することにより、照明装置３０６が点灯されても良い。照明装置３０６は、パワーソケット１１０により供給される電力を直接的または間接的に盗用できるので、充電コネクタ３００を携帯電話に差込接続する必要はない。しかしながら、充電コネクタ３００を携帯電話に差込接続して、同時に携帯電話を充電しても良い。
【００２１】
図４は、本発明による携帯電話用カーチャージャーの操作メカニズムを示す側面図である。図４に示すように、携帯電話用カーチャージャーが携帯電話２０６を充電している時に、照明装置３０６はスイッチ３０４を介して別々に制御可能にされる。パワー接続プラグ２００がパワーソケットに差し込まれると、照明装置３０６の作動と携帯電話２０６の充電とが独立して実行可能にされる。すなわち、照明装置３０６の照明は、携帯電話２０６のバッテリー充電操作によって影響を受けることはない。
【００２２】
しかしながら、パワー接続プラグ２００がパワーソケット１１０から引き抜かれ、それによってアイドル状態のままである場合には、充電コネクタ３００と携帯電話２０６との間の接続は維持されたままになる。従って、携帯電話２０６のバッテリーからの電流を流すことで照明装置３０６はパワーアップ可能にされる。
【００２３】
本発明では、導電ケーブル２０２は伸張性を有しているので、車の電源が使用される場合には車内のほぼ全ての辺鄙な場所まで照明装置３０６は移動可能にされるようになっている。しかしながら、たとえ携帯電話用チャージャーへの電源が引き抜かれている場合であっても、それでも携帯電話２０６内の電源は充電コネクタ３００上の照明装置３０６に電力を供給できる。つまり、照明を妨げることなくパワー接続プラグ２００と導電ケーブル２０２とを取り外し可能になる。
【００２４】
また、携帯電話２０６の電源が利用可能であれば、充電コネクタ３００の仕様は簡略化されても良い。携帯電話２０６が充電コネクタ３００に差込接続されているか否かに従って、照明装置３０６がスイッチのオンまたはオフを切換可能にされる。あるいは、照明装置３０６のオン状態またはオフ状態を選択するようにスイッチ３０４が設定される。
【００２５】
本発明によるシステムを作動するための回路は、その設計に従って変更可能である。従来の回路設計がうまく使われているので、そのような回路に関する詳細な説明はここでは省略する。
【００２６】
本発明の主な態様は少なくとも以下のものを含んでいる：
１．充電端子と電源端子とを接続するケーブルの可撓性を利用することにより、照明装置を移動して車内の照明の届かない全ての辺鄙な場所を照らすことができる。
２．カーチャージャーの充電端子に設置された照明装置を用いることで、携帯電話内の電源または車に供給される電源の何れかを使って照明装置に電力を供給できる。
【００２７】
本発明の特許請求の範囲または本発明の趣旨から逸脱することなく、本発明の構造を様々に修正および変更可能であることは、当業者にとって明らかである。上記を考慮すると、本発明は、特許請求の範囲における請求項とその等価物との範囲内であれば、その修正および変更を含むものである。
【図面の簡単な説明】
【００２８】
【図１】従来の車を側方から見た場合の室内レイアウトを示す概略図である。
【図２】側方から見た時の従来の携帯電話用カーチャージャーを示す概略図である。
【図３】本発明の好適な実施の形態による携帯電話用カーチャージャーの側面図である。
【図４】本発明による携帯電話用カーチャージャーの操作メカニズムを示す側面図である。
【符号の説明】
【００２９】
１１０      パワーソケット
２００      パワー接続プラグ
２０２      導電ケーブル
２０６      携帯電話
３００      充電コネクタ
３０２      接続ヘッド
３０４      スイッチ
３０６      照明装置
【図１】
2005057975.tif 000003
【図２】
2005057975.tif 000004
【図３】
2005057975.tif 000005
【図４】
2005057975.tif 000006